【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  ヒト由来の尿サンプル中の触媒鉄を測定する工程を含む、ヒトにおける腎臓疾患を検出するための方法。
【請求項２】  触媒鉄を尿サンプル中の参照蛋白質に関して測定する、請求項１記載の方法。
【請求項３】  参照蛋白質が尿クレアチニンである、請求項２記載の方法。
【請求項４】  尿サンプルを糖尿病性腎症、原発性糸球体腎炎および続発性糸球体腎炎からなる群より選ばれる進行性腎臓疾患を有するヒトから採取する、請求項１記載の方法。
【請求項５】  （ａ）ヒトから採取した尿サンプル中の触媒鉄含量を測定する工程、および
（ｂ）尿サンプル中の触媒鉄含量を対照サンプル中の触媒鉄含量と比較する工程を含み、
対照サンプル中の触媒鉄含量より多い尿サンプル中の触媒鉄含量が腎臓疾患であることを示す、ヒトにおける腎臓疾患の検出方法。
【請求項６】  約１５ｎｍｏｌ／ｍｇ参照蛋白質より多い尿中触媒鉄含量を有するヒトにおける腎臓疾患の治療方法に使用される医薬の製造のための鉄キレート化剤の使用。
【請求項７】  鉄キレート化剤が糖尿病性腎症、原発性糸球体腎炎および続発性糸球体腎炎からなる群より選ばれる進行性腎臓疾患を有するヒトに投与される、請求項６記載の使用。
【請求項８】  鉄キレート化剤がデフェリプロン（deferiprone)、デフェロキサミン、多価陰イオン性アミン類および置換ポリアザ(polyaza) 化合物からなる群より選ばれる、請求項６記載の使用。
【請求項９】  鉄キレート化剤が一日あたり約２０ｍｇ／ｋｇヒト体重から約１５０ｍｇ／ｋｇヒト体重の間の範囲の投薬量で投与される、請求項６記載の使用。
【請求項１０】  鉄キレート化剤が反復投与される、請求項６記載の使用。
【請求項１１】  鉄キレート化剤が経口投与される、請求項６記載の使用。
【請求項１２】  参照蛋白質が尿クレアチニンである、請求項６記載の使用。
【請求項１３】  ヒトから採取した尿サンプル中の蛋白質含量を測定する工程をさらに含む、請求項６記載の使用。
【請求項１４】  ヒトから採取した尿サンプル中の触媒鉄含量を測定する工程をさらに含む、請求項６記載の使用。
【請求項１５】  ヒトから採取した血液サンプル中のクレアチニンを測定する工程をさらに含む、請求項６記載の使用。
【請求項１６】  ヒトから採取した血液サンプル中の血液尿素窒素含量を測定する工程をさらに含む、請求項６記載の使用。
【請求項１７】  ａ）ヒトから初回尿サンプルを採取する工程、
ｂ）初回尿サンプル中の触媒鉄含量を測定する工程、および
ｃ）初回尿サンプル中の触媒鉄含量を対照サンプル中の触媒鉄含量と比較する工程を含む、対照サンプルの触媒鉄含量を超える尿中の触媒鉄含量を有するヒトにおける腎臓疾患の治療方法に使用される医薬の製造のための鉄キレート化剤の使用。
【請求項１８】  第２投薬量の鉄キレート化剤をさらに使用し、前記第２投薬量が尿サンプル中の測定された触媒鉄含量と対照サンプル中の触媒鉄含量との比較により決定される、請求項１７記載の使用。
【請求項１９】  ａ）少なくとも一つの第２尿サンプルをヒトから採取する工程、
ｂ）第２尿サンプル中の触媒鉄含量を測定する工程、および
ｃ）第２尿サンプル中の触媒鉄含量を初回尿サンプル、対照サンプルまたはその両方における触媒鉄含量と比較する工程をさらに有する、請求項１８記載の使用。
【請求項２０】  第２投薬量の鉄キレート化剤を、第２尿サンプル中の尿の触媒鉄含量が本質的に一定となるまで投与する、請求項１９記載の使用。
【請求項２１】  第２投薬量の鉄キレート化剤を、第２尿サンプル中の本質的に一定の尿中触媒鉄含量が対照サンプルのものとほぼ同じとなるまで投与する、請求項２０記載の使用。
【請求項２２】  少なくとも２つの第２投薬量で投与される鉄キレート化剤の投薬量が約１０ｍｇ／ｋｇヒト体重異なる、請求項２０記載の使用。
【請求項２３】  ヒトから採取した血液サンプル中のクレアチニンを測定する工程をさらに有する、請求項１７記載の使用。
【請求項２４】  ヒトから採取した血液サンプル中の血液尿素窒素含量を測定する工程をさらに有する、請求項１７記載の使用。
【請求項２５】  鉄キレート化剤がデフェリプロン、デフェロキサミン、多価陰イオン性アミン類および置換ポリアザ化合物からなる群より選ばれる、請求項１７記載の使用。
【請求項２６】  鉄キレート化剤が一日あたり約２０ｍｇ／ｋｇヒト体重から約１５０ｍｇ／ｋｇヒト体重の間の範囲の投薬量で投与される、請求項１７記載の使用。
【請求項２７】  尿サンプルが糖尿病性腎症、原発性糸球体腎炎および続発性糸球体腎炎からなる群より選ばれる進行性腎臓疾患を有するヒトから採取される、請求項１７記載の使用。
【請求項２８】  尿サンプルが進行性糸球体腎臓疾患を有するヒトから採取される、請求項１７記載の使用。
【請求項２９】  触媒鉄含量が参照蛋白質に関して測定される、請求項１７記載の使用。
【請求項３０】  参照蛋白質が尿クレアチニンである、請求項２９記載の使用。
【請求項３１】  鉄キレート化剤の投与がヒトにおける腎臓疾患の進行を本質的に停止させる、請求項１７記載の使用。
【請求項３２】  鉄キレート化剤の投与がヒトにおける進行性腎臓疾患の重篤度を低減する、請求項１７記載の使用。
【請求項３３】  ａ）ヒトから採取された初回尿サンプルおよび少なくとも一つの追加の尿サンプル中の触媒鉄含量を測定する工程、ならびに
ｂ）ヒトから採取された追加の尿サンプル中の触媒鉄含量を初回尿サンプル中の触媒鉄含量と比較する工程を含み、
初回尿サンプル中の触媒鉄含量より多い追加の尿サンプル中の触媒鉄含量の上昇がヒトにおける腎臓疾患の進行を示す、ヒトにおける腎臓疾患の進行の測定方法。
【請求項３４】  ヒトから採取された初回尿サンプルの触媒鉄含量を第２尿サンプルの触媒鉄含量と比較する工程を含み、前記第２尿サンプルが初回尿サンプルを得た後であってかつ鉄キレート化剤の投与後に採取されたものであり、それにより前記の比較が腎臓疾患の進行を軽減するための鉄キレート化剤の投与の有効性を示す、進行性腎臓疾患に罹患しているヒトを治療するために鉄キレート化剤を投与する有効性の評価方法。
【請求項３５】  ヒト由来の尿サンプル中の触媒鉄含量を測定する工程を含み、約１５ｎｍｏｌ／ｍｇ参照蛋白質を超える尿サンプル中の触媒鉄含量が、鉄キレート化剤を用いる進行性腎臓疾患の治療の恩恵を受ける、進行性腎臓疾患に罹患しているヒトを同定する、鉄キレート化剤を用いる進行性腎臓疾患の治療の恩恵を受ける、進行性腎臓疾患に罹患しているヒトを同定する方法。
【請求項３６】  ａ）ヒトから初回尿サンプルを採取する工程、
ｂ）初回尿サンプル中の触媒鉄含量を測定する工程、および
ｃ）初回尿サンプル中の触媒鉄含量を対照サンプル中の触媒鉄含量と比較する工程を含む、対照サンプルを超える尿中触媒鉄含量を有する微量アルブミン尿症（microalbuminuria) に罹患しているヒトにおける微量アルブミン尿症の治療方法に使用される医薬の製造のための鉄キレート化剤の使用。
【請求項３７】  第２投薬量の鉄キレート化剤をさらに使用し、前記第２投薬量が尿サンプル中の測定された触媒鉄含量と対照サンプル中の触媒鉄含量との比較により決定される、請求項３６記載の使用。
【請求項３８】  鉄キレート化剤の投与がヒトにおける微量アルブミン尿症の進行を本質的に停止する、請求項３６記載の使用。